(57)【要約】【課題】多様な帳票を用いたファクシミリ送信を行うにあたっても、ユーザの宛先設定にかかる手間を軽減することが可能なＦＡＸ送信装置、システム、制御方法、及びプログラムを提供する。【解決手段】宛先設定画面３００の表示領域３０１に表示された書類等に対して、領域として送付先記入欄のご担当様に該当する「鈴木●●」を指定し、「鈴木●●」に対してＯＣＲを施すことによって得られたＯＣＲ結果情報をＯＣＲ結果表示領域３０２へ表示し、そして、ＯＣＲ結果情報である「鈴木●●」に関係するＦＡＸ番号の候補を宛先候補表示領域３０３に表示し、ユーザは、宛先候補表示領域３０３に表示された宛先候補となるＦＡＸ番号「０００−０００−０１０５」を指定した状態で選択ボタン３０５を押下すると、宛先指定表示領域３０４に選択したＦＡＸ番号「０００−０００−０１０５」が表示される。【選択図】図３
2013121114.tif 000002
【特許請求の範囲】
【請求項１】
書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムであって、
送信対象となる電子化された前記書類等を示す送信対象データを表示する第1の表示手段と、
前記第1の表示手段によって表示された送信対象データに対して宛先の候補を特定するための領域を指定する宛先候補指定手段と、
ファクシミリ送信先のＦＡＸ番号と前記ファクシミリ送信先に関係する情報と対応付けて記憶する記憶手段と、
宛先候補指定手段によって指定された領域内のＯＣＲ結果を有する前記記憶手段のファクシミリ送信先に関係する情報からＦＡＸ番号を抽出することで宛先候補となる前記ＦＡＸ番号を取得する取得手段と、
前記取得手段によって取得した宛先候補となるＦＡＸ番号を表示する第２の表示手段と、
前記第２の表示手段によって表示された宛先候補からファクシミリ送信する際に用いるファクシミリ番号を指定する宛先指定手段と、
を備えたことを特徴とするＦＡＸ送信システム。
【請求項２】
前記取得手段は、前記領域が前記宛先候補指定手段によって指定された状態で、更に、前記宛先候補指定手段によって新たな領域が指定された場合、既に指定された領域及び前記新たな領域内のＯＣＲ結果を有する前記記憶手段のファクシミリ送信先に関係する情報からＦＡＸ番号を抽出することで宛先候補となる前記ＦＡＸ番号を取得することを特徴とする請求項１に記載のＦＡＸシステム。
【請求項３】
前記宛先候補指定手段によって指定された領域と共に過去に指定された領域を表示する第３の表示手段を備えたことを特徴とする１または２に記載のＦＡＸシステム。
【請求項４】
前記宛先指定手段によって指定したファクシミリ番号を指定するための前記宛先候補となるＦＡＸ番号及び前記指定領域を表示することを特徴とする請求項１乃至３の何れか１項に記載のＦＡＸシステム。
【請求項５】
クライアント端末とネットワークを介して接続されたＦＡＸ送信装置であって、
送信対象となる電子化された書類等を示す送信対象データを前記クライアント端末の表示部へ表示する第1の表示手段と、
前記第１の表示手段によって表示された送信対象データに対して宛先の候補を特定するための領域の指定を受付ける宛先候補指定受付手段と、
ファクシミリ送信先のＦＡＸ番号と前記ファクシミリ送信先に関係する情報と対応付けて記憶する記憶手段と、
宛先候補指定受付手段によって指定された領域内のＯＣＲ結果を有する前記記憶手段のファクシミリ送信先に関係する情報からＦＡＸ番号を抽出することで宛先候補となる前記ＦＡＸ番号を取得する取得手段と、
前記取得手段によって取得した宛先候補となるＦＡＸ番号を前記クライアント端末の表示部へ表示する第２の表示手段と、
前記第２の表示手段によって表示された宛先候補からファクシミリ送信する際に用いるファクシミリ番号の指定を受付ける宛先指定受付手段と、
を備えたことを特徴とするＦＡＸ送信装置。
【請求項６】
書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムの制御方法であって、
送信対象となる電子化された前記書類等を示す送信対象データを表示する第1の表示ステップと、
前記第１の表示ステップによって表示された送信対象データに対して宛先の候補を特定するための領域を指定する宛先候補指定ステップと、
宛先候補指定ステップによって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得ステップと、
前記取得ステップによって取得した宛先候補となるＦＡＸ番号を表示する第２の表示ステップと、
前記第２の表示ステップによって表示された宛先候補からファクシミリ送信する際に用いるファクシミリ番号を指定する宛先指定ステップと、
を実行することを特徴とするＦＡＸ送信システムの制御方法。
【請求項７】
書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムにおいて実行されるプログラムであって、
送信対象となる電子化された前記書類等を示す送信対象データを表示する第1の表示手段と、
前記第1の表示手段によって表示された送信対象データに対して宛先の候補を特定するための領域を指定する宛先候補指定手段と、
宛先候補指定手段によって指定された領域内のＯＣＲ結果を有するファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得手段と、
前記取得手段によって取得した宛先候補となるＦＡＸ番号を表示する第２の表示手段と、
前記第２の表示手段によって表示された宛先候補からファクシミリ送信する際に用いるファクシミリ番号を指定する宛先指定手段と、
を機能させることを特徴とするプログラム。
【請求項８】
クライアント端末とネットワークを介して接続されたＦＡＸ送信装置の制御方法であって、
送信対象となる電子化された書類等を示す送信対象データを前記クライアント端末の表示部へ表示する第1の表示ステップと、
前記第１の表示ステップによって表示された送信対象データに対して宛先の候補を特定するための領域の指定を受付ける宛先候補指定受付ステップと、
宛先候補指定受付手段によって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得ステップと、
前記取得ステップによって取得した宛先候補となるＦＡＸ番号を前記クライアント端末の表示部へ表示する第２の表示ステップと、
前記第２の表示ステップによって表示された宛先候補からファクシミリ送信する際に用いるファクシミリ番号の指定を受付ける宛先指定受付ステップと、
を実行することを特徴とするＦＡＸ送信装置の制御方法。
【請求項９】
クライアント端末とネットワークを介して接続されたＦＡＸ送信装置で実行されるプログラムあって、
送信対象となる電子化された書類等を示す送信対象データを前記クライアント端末の表示部へ表示する第1の表示手段と、
前記第１の表示手段によって表示された送信対象データに対して宛先の候補を特定するための領域の指定を受付ける宛先候補指定受付手段と、
宛先候補指定受付手段によって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得手段と、
前記取得手段によって取得した宛先候補となるＦＡＸ番号を前記クライアント端末の表示部へ表示する第２の表示手段と、
前記第２の表示手段によって表示された宛先候補からファクシミリ送信する際に用いるファクシミリ番号の指定を受付ける宛先指定受付手段と、
を機能させることを特徴とするプログラム。
【発明の詳細な説明】
【技術分野】
【０００１】
本発明は、ファクシミリ送信対象とする文書等に対して、送信先の宛先設定を行う方法に関するものである。
【背景技術】
【０００２】
従来、ファクシミリ送信を行う際には、ファクシミリ機能を備えた機器を用いて、送信対象となる文書等をスキャンしてから、送信先のＦＡＸ番号をダイヤルして送信を行っている。
【０００３】
しかしながら、ファクシミリ送信対象となる文書等の数が多くなるにつれて管理が複雑になると共に、文書等の紛失等の問題が発生する機会が増えてきている。
【０００４】
このような問題を鑑みて、スキャナ機能を備えた機器を用いて、ファクシミリ送信対象となる文書等を電子化し、パーソナルコンピュータへ電子化された文書等を保管しておく態様がとられるようになった。
【０００５】
上記のような態様を取る場合、電子化された文書等をファクシミリ送信する際に、送信先の宛先を何らかの方法で設定する必要である。
【０００６】
設定方法として良く取られる方法としては、パーソナルコンピュータのディスプレイにスキャナ機能を備えた機器で文書等をスキャンして得られた文書イメージを表示しておき、ファクシミリ送信を行うユーザが文書イメージを見ながら、パーソナルコンピュータのキーボードを用いて、送信先の宛先を入力する方法がある。
【０００７】
しかしながら、ユーザは、文書イメージを見て、送信先の宛先を特定し、その後、キーボードを用いて特定した宛先を入力するため、非常に手間がかかると共に、多数の文書等をファクシミリ送信する際には、この手間が非常に顕著となる。
【０００８】
また、ユーザは、入力作業を行うに当たり、誤った宛先を入力することも懸念され、誤送信に繋がり、機密情報等が外部へ漏れるという事故が発生し得る。
【０００９】
そこで、これらの問題を解決するために、電子化された文書等に対して、ＦＡＸ番号が記載されていると思われる領域にＯＣＲを施すことで宛先を特定し、特定した宛先に対して電子化された文書等をファクシミリ送信するシステムが提案されている。
【００１０】
このようなシステムにおいては、ＯＣＲの認識に誤りが生じ、誤送信が行われることも想定されるため、ＯＣＲの認識の誤りを抑止する方法が検討されている。
【００１１】
例えば、文書に記載された宛名を抽出するために宛名が記載された宛名領域を選定する方法が上げられ、この方法の１例としては、文書の原画像から枠やアンダーラインを検出し、検出した枠の中で最も下に位置する文字列の領域やアンダーライン上の文字列の領域を抽出し、最右端の文字列が、「殿」や「様」であるか否かを、文字認識、文字間隔、文字の大きさ等を考慮することで、宛名領域を選定する技術が開示されている（例えば、特許文献１参照）。
【特許文献１】特開平１１−１７９３６号公報
【発明の概要】
【発明が解決しようとする課題】
【００１２】
しかしながら、特許文献１に記載の方法では、電子化された文書等に対して、宛名が記載された箇所を自動で特定することが可能であるが、電子化された文書等をファクシミリ送信することについては、記載や示唆はされていない。
【００１３】
また、宛名を特定したとしても、宛名自体はＦＡＸ番号とは異なるため、宛名をそのまま用いてファクシミリ送信を行うことは、不可能である。確かに、宛名からＦＡＸ番号を対応づけてテーブル等へ記憶しておき、送信時に、宛名から送信先のＦＡＸ番号を特定することも想定し得るが、この場合、送信対象とする書類等は、枠やアンダーラインを有するフォーマットでなければ、宛名やＦＡＸ番号を特定し難いという問題が生じる。
【００１４】
そこで、上記課題を解決するために、本発明では、多様な帳票を用いたファクシミリ送信を行うにあたっても、ユーザの宛先設定にかかる手間を軽減することが可能なＦＡＸ送信装置、システム、制御方法、及びプログラムを提供することを目的とする。
【課題を解決するための手段】
【００１５】
上記の目的を達成するための第１の発明は、書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムであって、送信対象となる電子化された前記書類等を示す送信対象データを表示する第1の表示手段と、前記第1の表示手段によって表示された送信対象データに対して宛先の候補を特定するための領域を指定する宛先候補指定手段と、ファクシミリ送信先のＦＡＸ番号と前記ファクシミリ送信先に関係する情報と対応付けて記憶する記憶手段と、宛先候補指定手段によって指定された領域内のＯＣＲ結果を有する前記記憶手段のファクシミリ送信先に関係する情報からＦＡＸ番号を抽出することで宛先候補となる前記ＦＡＸ番号を取得する取得手段と、前記取得手段によって取得した宛先候補となるＦＡＸ番号を表示する第２の表示手段と、前記第２の表示手段によって表示された宛先候補からファクシミリ送信する際に用いるファクシミリ番号を指定する宛先指定手段と、を備えたことを特徴とするＦＡＸ送信システムである。
【００１６】
上記の目的を達成するための第２の発明は、クライアント端末とネットワークを介して接続されたＦＡＸ送信装置であって、送信対象となる電子化された書類等を示す送信対象データを前記クライアント端末の表示部へ表示する第1の表示手段と、前記第１の表示手段によって表示された送信対象データに対して宛先の候補を特定するための領域の指定を受付ける宛先候補指定受付手段と、ファクシミリ送信先のＦＡＸ番号と前記ファクシミリ送信先に関係する情報と対応付けて記憶する記憶手段と、宛先候補指定受付手段によって指定された領域内のＯＣＲ結果を有する前記記憶手段のファクシミリ送信先に関係する情報からＦＡＸ番号を抽出することで宛先候補となる前記ＦＡＸ番号を取得する取得手段と、前記取得手段によって取得した宛先候補となるＦＡＸ番号を前記クライアント端末の表示部へ表示する第２の表示手段と、前記第２の表示手段によって表示された宛先候補からファクシミリ送信する際に用いるファクシミリ番号の指定を受付ける宛先指定受付手段と、を備えたことを特徴とするＦＡＸ送信装置である。
【００１７】
上記の目的を達成するための第３の発明は、書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムの制御方法であって、送信対象となる電子化された前記書類等を示す送信対象データを表示する第1の表示ステップと、前記第１の表示ステップによって表示された送信対象データに対して宛先の候補を特定するための領域を指定する宛先候補指定ステップと、宛先候補指定ステップによって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得ステップと、前記取得ステップによって取得した宛先候補となるＦＡＸ番号を表示する第２の表示ステップと、前記第２の表示ステップによって表示された宛先候補からファクシミリ送信する際に用いるファクシミリ番号を指定する宛先指定ステップと、を実行することを特徴とするＦＡＸ送信システムの制御方法である。
【００１８】
上記の目的を達成するための第４の発明は、書類等のファクシミリ送信時に用いる送信先のＦＡＸ番号を指定するためのクライアント端末とネットワークを介して接続されたファクシミリ機へ送信指示を行うＦＡＸサーバとからなるＦＡＸシステムにおいて実行されるプログラムであって、送信対象となる電子化された前記書類等を示す送信対象データを表示する第1の表示手段と、前記第1の表示手段によって表示された送信対象データに対して宛先の候補を特定するための領域を指定する宛先候補指定手段と、宛先候補指定手段によって指定された領域内のＯＣＲ結果を有するファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得手段と、前記取得手段によって取得した宛先候補となるＦＡＸ番号を表示する第２の表示手段と、前記第２の表示手段によって表示された宛先候補からファクシミリ送信する際に用いるファクシミリ番号を指定する宛先指定手段と、を機能させることを特徴とするプログラム。
【００１９】
上記の目的を達成するための第５の発明は、クライアント端末とネットワークを介して接続されたＦＡＸ送信装置の制御方法であって、送信対象となる電子化された書類等を示す送信対象データを前記クライアント端末の表示部へ表示する第1の表示ステップと、前記第１の表示ステップによって表示された送信対象データに対して宛先の候補を特定するための領域の指定を受付ける宛先候補指定受付ステップと、宛先候補指定受付手段によって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得ステップと、前記取得ステップによって取得した宛先候補となるＦＡＸ番号を前記クライアント端末の表示部へ表示する第２の表示ステップと、前記第２の表示ステップによって表示された宛先候補からファクシミリ送信する際に用いるファクシミリ番号の指定を受付ける宛先指定受付ステップと、を実行することを特徴とするＦＡＸ送信装置の制御方法である。
【００２０】
上記の目的を達成するための第６の発明は、クライアント端末とネットワークを介して接続されたＦＡＸ送信装置で実行されるプログラムあって、送信対象となる電子化された書類等を示す送信対象データを前記クライアント端末の表示部へ表示する第1の表示手段と、前記第１の表示手段によって表示された送信対象データに対して宛先の候補を特定するための領域の指定を受付ける宛先候補指定受付手段と、宛先候補指定受付手段によって指定された領域内のＯＣＲ結果を有する、ファクシミリ送信先のＦＡＸ番号と前記ファクシミリ送信先に関係する情報と対応付けて記憶する記憶手段のファクシミリ送信先に関係する情報からＦＡＸ番号を抽出することで宛先候補となる前記ＦＡＸ番号を取得する取得手段と、前記取得手段によって取得した宛先候補となるＦＡＸ番号を前記クライアント端末の表示部へ表示する第２の表示手段と、前記第２の表示手段によって表示された宛先候補からファクシミリ送信する際に用いるファクシミリ番号の指定を受付ける宛先指定受付手段と、を機能させることを特徴とするプログラムである。
【発明の効果】
【００２１】
本発明によれば、ユーザが、ファクシミリ対象となる書類等に対して、ユーザインタフェースを用いて指定した領域において、当該領域に記載された情報に関係するＦＡＸ番号を表示選択することができるので、ユーザの宛先設定にかかる手間を軽減することが可能となる、という効果を奏する。
【図面の簡単な説明】
【００２２】
【図１】本発明の実施形態に係るＦＡＸシステムの概略構成を示す構成図である。
【図２】本発明の実施形態に係るクライアント端末、ＤＢサーバ、ＦＡＸサーバのハードウェア構成を示す構成図である。
【図３】本発明の実施形態に於いて宛先設定画面の構成を示す構成図である。
【図４】本発明の実施形態に於いて宛先設定画面を用いて宛先候補から宛先指定したことを示す構成図である。
【図５】本発明の実施形態に於いて宛先設定画面を用いて宛先候補の絞り込みを行っていることを示す構成図である。
【図６】本発明の実施形態に係るＦＡＸシステムにおいて実行される宛先設定処理を示すフローチャートである。
【図７】本発明の実施形態に係るＦＡＸシステムにおいて実行される宛先設定処理で用いられるテーブルの構成を示す構成図である。
【図８】本発明の実施形態に於いて宛先設定画面を用いて宛先候補の絞り込みを行っていることを示す構成図である。
【図９】本発明の実施形態に於いて宛先設定画面を用いて宛先候補の絞り込みを行う際に、過去に指定した領域を選択することが可能であることを示す構成図である。
【図１０】本発明の実施形態に於いて宛先設定画面を用いて宛先候補の絞り込みを行う際に、過去に指定した領域を表示することが可能であることを示す構成図である。
【図１１】本発明の実施形態に於いて宛先設定画面を用いて、既に指定した宛先から指定した領域及び宛先候補を特定することが可能であることを示す構成図である。
【図１２】本発明の変形例に係るＦＡＸシステムにおいて実行される宛先設定処理を示すフローチャートである。
【発明を実施するための形態】
【００２３】
以下、図面を参照して、本発明の実施形態を詳細に説明する。
【００２４】
図１は、本発明の実施形態に係るＦＡＸ送信システムの構成の一例を示す図である。尚、図１に示す各種端末の構成は一例であり、目的や用途に応じて様々な構成例があることは言うまでもない。
【００２５】
ＦＡＸ送信システム１００は、ユーザがファクシミリ送信対象となる書類等を参照しながら送信先の宛先を設定するためのクライアント端末１０１、ファクシミリ送信対象となる書類等やＦＡＸ送信システム１００で実行されるプログラムで利用するデータを記憶したデータベースを備えたＤＢサーバ１０２、送信先の宛先を設定するためのプログラムやファクシミリ送信指示を出力するためのプログラム等を実行するＦＡＸサーバ１０３、ファクシミリ機能を備えたＦＡＸ機１０４、及びプリント出力やファクシミリ機能を備えた複合機１０５の各々が、ネットワーク１０６を介して接続された構成をとっている。
【００２６】
図２には、クライアント端末１０１のハードウェアの概略構成を示す構成図が示されている。
【００２７】
ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ(Basic Input / Output System)やオペレーティングシステムプログラム（以下、ＯＳ）や、各サーバ或いは各クライアント装置の実行する機能を実現するために必要な後述する各種プログラム等が記憶されている。
【００２８】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。
【００２９】
また、入力コントローラ（入力Ｃ）２０５は、入力部２０９や不図示のマウス等のポインティングデバイスからの入力を制御する。ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。
【００３０】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュ（登録商標）メモリ等の外部メモリ２１１へのアクセスを制御する。
【００３１】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００３２】
なお、ＣＰＵ２０１は、例えばＲＡＭ２０３内の表示情報用領域へアウトラインフォントの展開（ラスタライズ）処理を実行することにより、表示部２１０上での表示を可能としている。また、ＣＰＵ２０１は、表示部２１０上の不図示のマウスカーソル等でのユーザ指示を可能とする。
【００３３】
本発明を実現するための書類等の送付先に関する宛先設定認処理を実行するためのプログラム等は、外部メモリ２１１に記憶されており、必要に応じてＲＡＭ２０３にロードされることによりＣＰＵ２０１によって実行される。
【００３４】
本発明に係わる書類等の送付先に関する宛先設定処理が用いる定義情報及び各種情報テーブルについても、外部メモリ２１１に記憶されている。これらについての詳細な説明は、後述する。
【００３５】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３６】
また、２１２はスキャナインタフェース（スキャナＩ／Ｆ）で、スキャナ部２１３とシステムバスを介して他機能と接続し、画像データの同期系／非同期系の変換を行う。
【００３７】
スキャナ部２１３は、原稿となる紙上の書類等を照明し、ＣＣＤラインセンサで走査することで、ラスタイメージデータとして電気信号に変換する。書類等は原稿台にセットし、ユーザが入力部２０９から読み取り起動指示することにより、ＣＰＵ２０１がスキャナ部２１３に指示を与え、書類等の読み取り動作を行う。
【００３８】
尚、ＤＢサーバ、及びＦＡXサーバについても、同様なハードウェア構成を備えているので、説明は省略する。
【００３９】
図３は、本発明の実施形態に於いて、電子化された書類等を表示し、ファクシミリ送信の送信先のＦＡＸ番号を設定するための宛先設定画面の構成を示す図である。
【００４０】
宛先設定画面３００は、電子化された書類等を表示するための表示領域３０１、マウス等の入力部２０９を用いて、表示領域３０１に表示された書類等に対して領域を指定し、当該指定した領域のＯＣＲの結果を示すＯＣＲ結果情報を表示するＯＣＲ結果表示領域３０２を備えている。
【００４１】
尚、領域の指定の方法としては、マウスの左ボタンを押下した状態で、領域をマウスカーソルで指定する方法が上げられる。
【００４２】
また、宛先設定画面３００は、ＯＣＲ結果表示領域３０２に表示されたＯＣＲ結果情報に関係するＦＡＸ番号の候補を表示するための宛先候補表示領域３０３、宛先候補のＦＡＸ番号から送信すべく送信先を指定し、当該確定したＦＡＸ番号を表示する宛先指定表示領域３０４を備えている。
【００４３】
ユーザは、宛先候補表示領域３０３に表示された宛先候補となるＦＡＸ番号を選択した状態で選択ボタン３０５を押下することで、宛先候補のＦＡＸ番号を指定したＦＡＸ番号と見做し、選択したＦＡＸ番号が宛先指定表示領域３０４に表示される。
【００４４】
また、一度、指定したＦＡＸ番号を解除する場合は、宛先指定表示領域３０４に表示された宛先となるＦＡＸ番号を選択した状態で解除ボタン３０６を押下することで、指定したＦＡＸ番号を宛先候補のＦＡＸ番号と見做し、選択したＦＡＸ番号が宛先候補表示領域３０３に表示される。
【００４５】
更に、宛先設定画面３００は、宛先指定表示領域３０４に表示されたＦＡＸ番号を確定したものとして見做す場合に押下するための宛先確定ボタン３０７、及び表示領域３０１に表示された書類等を残しつつ、宛先設定画面３００に表示及び設定した情報をクリアするためのキャンセルボタン３０８を備えている。
【００４６】
宛先設定画面３００を用いた宛先の設定方法の流れを示すと、例えば、図３に示すように、表示領域３０１に表示された書類等に対して、領域として送付先記入欄のご担当様に該当する「鈴木●●」がマウス操作等によって指定されたことを示しており、「鈴木●●」に対してＯＣＲを施すことによって得られたＯＣＲ結果情報をＯＣＲ結果表示領域３０２へ表示する。
【００４７】
表示が完了、あるいは表示と同じタイミングで、ＯＣＲ結果情報である「鈴木●●」に関係するＦＡＸ番号の候補を宛先候補表示領域３０３に表示する。
【００４８】
そして、ユーザは、図４に示す通り、宛先候補表示領域３０３に表示された宛先候補となるＦＡＸ番号「０００−０００−０１０５」を選択した状態で選択ボタン３０５を押下すると、宛先指定表示領域３０４に選択したＦＡＸ番号「０００−０００−０１０５」が表示される。
【００４９】
これとは逆に、ユーザが、宛先指定表示領域３０４に表示されたＦＡＸ番号「０００−０００−０１０５」が選択された状態で解除ボタン３０６を押下すると、選択したＦＡＸ番号「０００−０００−０１０５」が宛先指定表示領域３０４から削除される。
【００５０】
ユーザは、このような作業を行った後、宛先指定表示領域３０４に表示された指定したＦＡＸ番号を確定する場合、宛先確定ボタン３０７を押下する。
【００５１】
また、このような流れで宛先を設定するにあたり、宛先候補表示領域３０３に表示された宛先候補が多数存在する場合は、ユーザは、この宛先候補から選定するために、多大な手間がかかる、という問題が生じる。
【００５２】
このため、再度、宛先候補から絞り込みを行うため、図５に示すように、マウス等の入力部２０９を用いて、既に指定した領域を残したまま、新たな領域を指定する。
【００５３】
つまり、既に指定した領域として送付先記入欄のご担当様に該当する「鈴木●●」が指定された状態で、別の指定領域として送付先記入欄の会社名に該当する「ＡＡＡＡＡ社」をマウス操作によって指定する。
【００５４】
すると、「ＡＡＡＡＡ社」に対してＯＣＲを施すことによって得られたＯＣＲ結果情報をＯＣＲ結果表示領域３０２へ「鈴木●●」と共に表示する。
【００５５】
表示が完了、あるいは表示と同じタイミングで、ＯＣＲ結果情報である「鈴木●●」及び「ＡＡＡＡＡ社」に関係するＦＡＸ番号の候補を宛先候補表示領域３０３に表示する。
【００５６】
これによって、多数表示された宛先候補を絞り込むことが可能となり、ユーザは、絞り込まれた宛先候補から宛先を指定するため、宛先設定にかかる手間を抑止することが可能となる。
【００５７】
尚、既に指定した領域を、指定解除するためには、キャンセルボタン３０８を押下するか、あるいは、既に指定した領域に対してマウスカーソルをあてて、マウスの右クリックの操作を行うことで解除することが可能である。
【００５８】
マウスの右クリックによって解除を行うと、ＯＣＲ結果表示領域３０２から解除された領域に対応するＯＣＲ結果情報を削除して、削除後のＯＣＲ結果情報に関係するＦＡＸ番号を表示する。
【００５９】
次に、本発明の実施形態に係るＦＡＸ送信システムにおける宛先設定処理に関して、図６に示すフローチャートを用いて説明する。
【００６０】
ステップＳ１００では、クライアント端末１０１において、宛先設定画面３００を起動し、表示部２１０に表示する。起動後、ユーザは、宛先設定画面３００から宛先の設定対象とする、つまりファクシミリ送信対象とする電子化された書類等（書類データ）を不図示の書類指定機能を用いてＤＢサーバ１０２から取得する。書類指定機能については、書類データの一覧をリスト表示するための画面から選択する態様や書類データを一意に識別するためのＩＤを指定して検索表示する態様等が上げられる。
【００６１】
ＤＢサーバ１０２から取得した書類データは、宛先設定画面３００の表示領域３０１に表示され、ユーザは、表示された書類データに対して、宛先の設定を行うこととなる。
【００６２】
ステップＳ１０１では、クライアント端末１０１において、書類データに対してのマウス操作を検知したか否かを判定、つまり、書類データに対して、マウスの左ボタンを押下した状態でマウスカーソルによって領域が指定され、左ボタンの押下が解除されたことを検知したか否かを判定し、検知したと判定した場合は、ステップＳ１０２へ処理を進め、検知したと判定しなかった場合は、ステップＳ１０８へ処理を進める。
【００６３】
ステップＳ１０２では、クライアント端末１０１において、ステップＳ１０１で検知したマウス操作から特定される領域を特定し、ステップＳ１０３では、クライアント端末１０１において、ステップＳ１０２において特定した領域に対してＯＣＲを施す。
【００６４】
ステップＳ１０４では、クライアント端末１０１において、ステップＳ１０３におけるＯＣＲを施した結果を示すＯＣＲ結果情報を取得して、ステップＳ１０５では、クライアント端末１０１において、ステップＳ１０４にて取得したＯＣＲ結果情報を宛先設定画面３００のＯＣＲ結果表示領域３０２に表示する。
【００６５】
ステップＳ１０６では、クライアント端末１０１においてＯＣＲ結果表示領域３０２に表示されたＯＣＲ結果情報を取得して、ＦＡＸサーバ１０３へＯＣＲ結果情報を送信し、ＦＡＸサーバ１０３では、受信したＯＣＲ結果情報を用いて、ＤＢサーバ１０２に記憶した宛先候補となり得るＦＡＸ番号を取得する。
【００６６】
本ステップでは、ＤＢサーバ１０２に備えた図７に示す宛先情報テーブルから、ＯＣＲ結果情報に関係する宛先候補を取得する。
【００６７】
宛先情報テーブルは、取引先等の会社を一意に識別するための会社コード、会社名、当該会社の窓口等を担当される社員名称を示すご担当者名、当該会社の電話番号、当該会社のＦＡＸ番号、及びファクシミリ送信元となる会社の担当者を示す弊社担当等の宛先情報を含んで構成されている。
【００６８】
ＤＢサーバ１０２は、この宛先情報テーブルを用いて、ＯＣＲ結果情報に含まれる各情報と一致する全ての宛先情報を取得し、当該宛先情報のレコードからＦＡＸ番号を抽出し、ＦＡＸサーバ１０３を介して、クライアント端末１０１に抽出したＦＡＸ番号を送信する。
【００６９】
ステップＳ１０７では、クライアント端末１０１において、ステップＳ１０６にて送信されたＦＡＸ番号を受信し、受信したＦＡＸ番号を宛先設定画面３００の宛先候補表示領域３０３へ宛先候補として表示する。
【００７０】
ステップＳ１０８では、クライアント端末１０１において、宛先設定画面３００のＯＣＲ結果表示領域３０２に表示されたＯＣＲ結果情報が修正されたか否かを判定し、修正されたと判定した場合は、ステップＳ１０６へ処理を進め、修正されたと判定しない場合は、ステップＳ１０９へ処理を進める。
【００７１】
ステップＳ１０９では、クライアント端末１０１において、宛先設定画面３００の宛先候補表示領域３０３に表示された宛先候補のＦＡＸ番号が選択された状態で選択ボタン３０５が押下されたか否かを判定し、押下されたと判定した場合は、ステップＳ１１０へ処理を進め、押下されたと判定しない場合は、ステップＳ１１３へ処理を進める。
【００７２】
ステップＳ１１０では、クライアント端末１０１において、ステップＳ１０９にて選択された宛先候補としてのＦＡＸ番号を取得し、ステップＳ１１１では、クライアント端末１０１において、ステップＳ１１０にて取得したＦＡＸ番号を宛先指定表示領域３０４へ表示する。
【００７３】
ステップＳ１１２では、クライアント端末１０１において、宛先設定画面３００の宛先候補表示領域３０３に表示された宛先候補から、次の宛先候補のＦＡＸ番号が選択された状態で選択ボタン３０５が押下されたか否かを判定し、押下されたと判定した場合は、ステップＳ１１０へ処理を進め、押下されたと判定しない場合は、ステップＳ１１３へ処理を進める。
【００７４】
ステップＳ１１３では、クライアント端末１０１において、宛先確定ボタン３０７が押下されたか否かを判定し、押下されたと判定した場合は、ステップＳ１１４へ処理を進め、押下されたと判定しない場合は、ステップＳ１０１へ処理を進める。
【００７５】
ステップＳ１１４では、クライアント端末１０１において、宛先設定画面３００の宛先指定表示領域３０４に表示されたＦＡＸ番号を確定したＦＡＸ番号として取得する。
【００７６】
以降、本ステップで取得した確定したＦＡＸ番号を用いて、宛先設定画面３００の表示領域３０１に表示された書類データを送信するために、ＦＡＸサーバ１０３を介して、複合機１０５へ送信指示を出力する。
【００７７】
尚、ユーザは、ステップＳ１０１において、図５に示すように宛先設定画面３００の表示領域３０１に表示された書類データに対して、マウス操作によって領域（送付先記入欄のご担当様に該当する「鈴木●●」）を指定した後、各ステップの処理を実行後、ステップＳ１０１では、クライアント端末１０１において、更に、この領域が指定された状態で、宛先設定画面３００の表示領域３０１において新たな領域が指定された（送付先記入欄の会社名に該当する「ＡＡＡＡＡ社」）場合、ステップＳ１０２に処理を進め、既に指定された領域のＯＣＲ結果情報と新たに指定された領域のＯＣＲ結果情報とを用いて、宛先候補を検索表示する態様を取ることも可能である。
【００７８】
この態様の場合、ステップＳ１０６では、ＯＣＲ結果情報には複数のデータが含まれることになるが、この複数のデータを含む宛先情報を宛先情報テーブルから取得することとなる。
【００７９】
また、ユーザ自身が送付先の会社担当窓口となっている場合等は、ユーザ自身が利用しても問題が生じないようなＦＡＸ番号を取得するために、ステップＳ１０１において新たな領域を指定する際に、図８に示すように、送付元記入欄の弊社担当の領域（送付元記入欄の弊社担当に該当する「田中●●」）を指定することで、ユーザ自身が利用しても問題ないようなＦＡＸ番号を取得することが可能である。
【００８０】
尚、ステップＳ１０１において、指定された領域が存在しない状態で、送付元記入欄の弊社担当の領域（送付元記入欄の弊社担当に該当する「田中●●」）を指定することで、ユーザ自身が利用しても問題ないようなＦＡＸ番号を取得することも可能である。
［変形例］
【００８１】
次に、本発明の変形例を説明するが、基本的にシステムの構成に関しては、本実施形態とほぼ同一な構成及び処理であるため、説明を省略し、同一な構成及び処理に関しては、同一の符号を用いて、以降、説明する。
【００８２】
宛先設定画面３００の表示領域３０１に表示された書類データに対して、マウス操作によって領域を指定し、多数のＯＣＲ結果情報がＯＣＲ結果表示領域３０２に表示された場合、既に指定した領域を残したまま、更に、新たな領域を指定して宛先候補を絞り込む態様を述べたが、より効率性を求めるため、過去に指定した領域を利用することも可能である。
【００８３】
この場合、図１２の宛先設定処理を示すフローチャートにおいて、ステップＳ３１１では、クライアント端末１０１において、宛先確定ボタン３０７が押下された後に、指定されている領域と宛先指定表示領域３０４に表示されたＦＡＸ番号とを対応づけて、ＤＢサーバ１０２に備えられた図７に示す検索履歴テーブルへ記憶する。本ステップでは、表示領域３０１に表示された書類データの書類の種類を一意に識別する書類ＩＤを特定するため、書類データと予め定義した書類ＩＤ毎の書類フォームとマッチングを行い、当該書類ＩＤを特定しても良いし、書類データに対して当該書類ＩＤを付与しておき、付与された書類ＩＤを読み取っても良いが、何れにせよ、書類データの書類の種類を一意に識別する方法であればどのような態様でも良い。
【００８４】
検索履歴テーブルは、書類等の種類を一意に識別するための書類ＩＤ、表示領域３０１において指定された領域を示す指定領域１、指定領域１に表示されている実データを示す指定領域１実データ、複数の領域が表示領域３０１に対して指定された場合、指定された数だけ、指定領域２及び指定領域２実データ、指定領域３及び指定領域３実データ、指定領域４及び指定領域４実データ、・・・・として、指定された領域と、当該領域に表示された実データを記憶する。
【００８５】
また、検索履歴テーブルは、指定領域及び指定領域に表示された実データに対応させて、宛先設定画面３００の宛先候補表示領域３０３、宛先指定表示領域３０４に表示されたＦＡＸ番号、及び検索履歴テーブルに記憶された情報が確定されたものであるか否かを示す確定フラグ等を含む検索履歴情報を備えている。
【００８６】
確定フラグに関しては、宛先確定ボタン３０７が押下された時に、検索履歴情報を検索履歴テーブルに記憶した時に、確定フラグが立ち（○が記憶される）、宛先確定ボタン３０７が押下される前であれば、ステップＳ３０９において、ＯＣＲ結果情報に関係するＦＡＸ番号を取得したタイミングで、確定フラグを立てずに、検索履歴テーブルに検索履歴情報を記憶する、または、ステップＳ３１０において、宛先候補から宛先として選択したタイミングで、確定フラグを立てずに、検索履歴テーブルに検索履歴情報を記憶する。
【００８７】
つまり、確定フラグは、検索履歴情報が確定したものか、あるいは、更新中のものであるのかを識別するための識別情報である。
【００８８】
ユーザは、ステップＳ１０１において、図９に示すように宛先設定画面３００の表示領域３０１に表示された書類データに対して、マウス操作によって領域（送付先記入欄のご担当様に該当する「鈴木●●」）を指定した後、ステップＳ３０１では、クライアント端末１０１において、領域を指定した状態（例えば、マウスカーソルを当該領域にあてた状態）で、マウスが右クリックされたか否かを判定し、右クリックがなされたと判定した場合は、ステップＳ３０２へ処理を進め、右クリックがなされたと判定しない場合は、ステップＳ３０６へ処理を進める。
【００８９】
ステップＳ３０２では、クライアント端末１０１において、履歴表示を行うか否かを選択表示させる選択領域３０９が表示され、ステップＳ３０３では、クライアント端末１０１において、選択領域３０９が選択されたか否かを判定し、選択されたと判定した場合は、ステップＳ３０４へ処理を進め、選択されたと判定しない場合は、ステップＳ１０８へ処理を進める。
【００９０】
ステップＳ３０４では、クライアント端末１０１において、ユーザによって、選択領域３０９がマウスで選択されたことを検知すると、ステップＳ３０１にて指定された領域に関する情報、及び当該領域に表示された実データをＯＣＲすることによって取得して、ＦＡＸサーバ１０３を介して、ＤＢサーバ１０２へ送信する。
【００９１】
ＤＢサーバ１０２は、送信された領域に関する情報と実データとの組合せに該当する検索履歴テーブルの指定領域及び指定領域に表示された実データを含み、確定フラグが立っている検索履歴情報を取得して、ＦＡＸサーバ１０３を介してクライアント端末１０１へ取得した検索履歴情報を送信する。尚、本ステップでは、前述の方法で書類データの書類ＩＤを特定し、当該書類ＩＤを含む情報を用いて、ＤＢサーバ１０２から検索履歴情報を取得しても良い。
【００９２】
そして、ステップＳ３０５では、クライアント端末１０１において、図１０に示すように、ステップＳ３０４にて送信された検索履歴情報に含む指定領域に該当する、宛先設定画面３００の表示領域３０１の領域に対して、領域が過去に指定されたことを示す点線の矩形等（送付先記入欄の会社名に該当する「ＡＡＡＡＡ社」）を表示すると共に、表示領域３０１に対して指定された領域に対応するＯＣＲ結果情報（検索履歴情報の指定領域実データを含めて）をＯＣＲ結果表示領域３０２へ表示し、検索履歴情報の宛先候補を宛先候補表示領域３０３に表示し、更に、検索履歴情報のＦＡＸ番号を宛先指定表示領域３０４へ表示する。
【００９３】
尚、検索履歴情報に関しては、複数のレコードが取得されることが想定されるが、その場合、表示領域３０１に対して異なる指定領域の組みあわせが存在する場合は、其々、矩形等の組合せを識別表示（あるいは、色別表示）し、ユーザは、当該矩形等の組合せに対して選択を行うと、選択された矩形等に表示された情報に応じたＯＣＲ結果表示領域３０２、宛先候補表示領域３０３、宛先指定表示領域３０４の表示を行う。本ステップが終了すると、ステップＳ１０８へ処理を進める。
【００９４】
更に、変形例において、宛先候補から宛先を指定したものの、指定した宛先に誤りが存在し、表示領域３０１に対してすでに他の領域をしてしまった場合、つまり表示領域３０１に対して指定した領域がどのような状態であったかを失念した場合、更に、表示領域３０１に対して、宛先を指定した時と同様な領域を表示領域３０１に対してしなければならない、といった手間が生じる。
【００９５】
従って、この場合、ステップＳ３０６では、クライアント端末１０１において、図１１に示すように、宛先設定画面３００の宛先指定表示領域３０４に表示されたＦＡＸ番号に対してマウスカーソルをあてた状態（宛先指定表示領域３０４に表示されたＦＡＸ番号「０００−０００−０１０５」）で、マウスが左クリックされたか否かを判定する。
【００９６】
マウスが左クリックされたと判定した場合、ステップＳ３０７へ処理を進め、マウスが左クリックされたと判定しない場合、ステップＳ１０２へ処理を進める。
【００９７】
ステップＳ３０７では、クライアント端末１０１において、マウスカーソルがあてられたＦＡＸ番号を取得し、取得したＦＡＸ番号を、ＦＡＸサーバ１０３を介して、ＤＢサーバ１０２へ送信する。
【００９８】
ＤＢサーバ１０２は、受信したＦＡＸ番号を有し、かつ確定フラグが立っていない検索履歴テーブルの検索履歴情報を取得して、ＦＡＸサーバ１０３を介して、クライアント端末１０１へ送信する。尚、本ステップでは、前述の方法で書類データの書類ＩＤを特定し、当該書類ＩＤを含む情報を用いて、ＤＢサーバ１０２から検索履歴情報を取得しても良い。
【００９９】
ステップＳ３０８では、クライアント端末１０１において、ステップＳ３０７にて送信された検索履歴情報に含まれる指定領域及び指定領域に表示された実データ、当該実データ、宛先候補の順に、宛先設定画面３００の表示領域３０１（送付先記入欄のご担当様に該当する「鈴木●●」）、ＯＣＲ結果情報、宛先候補表示領域３０３へ表示する。本ステップが終了すると、ステップＳ１０８へ処理を進める。
【０１００】
尚、検索履歴情報に関して、確定していない検索履歴情報、つまり確定フラグが立っていない検索履歴情報については、ユーザが宛先設定画面と閉じたタイミングで、削除することも可能であり、更に、つまり確定フラグが立っていない検索履歴情報は、ＤＢサーバ１０２の検索履歴テーブルに記憶せず、クライアント端末１０１のＲＡＭ２０３等のメモリにおいて展開し、ユーザが宛先設定画面と閉じたタイミングで、メモリに展開された検索履歴情報を削除する態様も取ることが可能である。
【０１０１】
以上、本発明に依れば、ユーザが、ファクシミリ対象となる書類等に対して、ユーザインタフェースを用いて指定した領域において、当該領域に記載された情報に関係するＦＡＸ番号を表示選択することができるので、ユーザの宛先設定にかかる手間を軽減することが可能となる。
【０１０２】
また、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１０３】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０４】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１０５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０６】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０７】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１０８】
１００    ＦＡＸ送信システム
１０１    クライアント端末
１０２    ＤＢサーバ
１０３    ＦＡＸサーバ
１０４    ＦＡＸ機
１０５    複合機
１０６    ネットワーク
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    入力部
２１０    表示部
２１１    外部メモリ
２１２    スキャナＩ／Ｆコントローラ
２１３    スキャナ部
【図１】
2013121114.tif 000003
【図２】
2013121114.tif 000004
【図３】
2013121114.tif 000005
【図４】
2013121114.tif 000006
【図５】
2013121114.tif 000007
【図６】
2013121114.tif 000008
【図７】
2013121114.tif 000009
【図８】
2013121114.tif 000010
【図９】
2013121114.tif 000011
【図１０】
2013121114.tif 000012
【図１１】
2013121114.tif 000013
【図１２】
2013121114.tif 000014